(57)【特許請求の範囲】
【請求項１】
鏡体が取り付けられるキャビネット本体部に設けた収納凹部に、小口面を前後方向として進退可能に収納した発光板と、当該発光板内へ小口面から光を投射する光源とより成る照明装置であって、前記発光板における一方の表面側に光反射層が設けられると共に、他方の表面側が光透過層から成る発光面になされ、前記光源から前記発光板内に投射した光線を前記光反射層で反射して前記発光面から射出させるようになされ、前記発光板が収納される収納凹部の内表面に光反射層を設けたことを特徴とするミラーキャビネット用照明装置。
【請求項２】
前記光源が前記発光板の小口面に取着されている請求項１に記載のミラーキャビネット用照明装置。
【請求項３】
前記発光板は、内部に中空部が形成されると共に小口面に前記中空部に通じる開口部が形成され、前記光源が前記開口部に取着されて前記発光板内部へ光投射するようになされている請求項１に記載のミラーキャビネット用照明装置。
【請求項４】
前記光源が、前記発光板における後端側の小口面に面するようにキャビネット本体部に配置されている請求項１に記載のミラーキャビネット用照明装置。
【請求項５】
鏡体が取り付けられるキャビネット本体部に設けた収納凹部に、小口面を前後方向として進退可能に収納された発光板と、当該発光板内部に形成された中空部内に配置された光源とより成る照明装置であって、前記発光板における一方の表面側に光反射層が設けられると共に、他方の表面側が光透過層から成る発光面になされ、前記光源から前記発光板内に投射した光線を前記光反射層で反射して前記発光面から射出させるようになされ、前記発光板が収納される収納凹部の内表面に光反射層を設けたことを特徴とするミラーキャビネット用照明装置。
【請求項６】
前記光源は、前記発光板の外部に取り付けた支持手段により、前記キャビネット本体部に固定されている請求項５に記載のミラーキャビネット用照明装置。
【発明の詳細な説明】
【技術分野】
【０００１】
本発明は洗面化粧台等に設置されるミラーキャビネット用の新規な照明装置に関し、詳しくは、ミラーキャビネットの鏡体部に顔を近づけた状態で、効率よく顔を照明できる手段の提供を目的とする。
【背景技術】
【０００２】
キャビネット本体部の前面に鏡体を取り付けたミラーキャビネットを、洗面器の後方上面に設置した洗面化粧台が、従来利用されている。このようなミラーキャビネットを備える洗面化粧台にあっては、通常、鏡体の上部に蛍光灯や白熱灯を光源とする照明装置が配置されることが多い。かかるミラーキャビネットにあっては、白熱灯の場合は勿論、蛍光灯の場合でさえも、照明装置の発熱が問題になる場合が少なからずある。そこで、発熱の少ない発光ダイオード（ＬＥＤ）を光源とする照明装置が特許文献１で提案されている。
【０００３】
特許文献１には、鏡体の周囲又は裏面に発光ダイオード（ＬＥＤ）を線状又は面状に配設した照明装置、及び、鏡体の上端又は下端に配置したＬＥＤから鏡体内へ光照射することにより、導波光で鏡体表面又は側面を発光させる照明装置が提案されている。同特許文献１の照明装置は、消費電力が少なく発熱が小さいという効果を発揮するとされている。
【特許文献１】特開２００１−７８９０９公報
【発明の開示】
【発明が解決しようとする課題】
【０００４】
特許文献１に記載された照明装置は光源としてＬＥＤを使用している。ＬＥＤは指向性が強いので、照射方向から外れると、適切な照明効果が得られなくなる場合がある。例えば鏡体の周囲にＬＥＤを配設した照明装置の場合、鏡体から特定距離だけ離れた位置が最適照明位置に設定されるので、使用者が自己の顔をよく見ようと顔を鏡体に近づけたときに、上に述べたＬＥＤの指向性のため、使用者に対し満足できる照明効果を発揮できなくなり、顔を適切に照らせないという問題が有った。また、ＬＥＤによって端部から鏡体内へ光投射し、導波光で鏡体表面を発光させる方式の照明装置にあっては、顔の正面側から光が照射されることになるため、使用者が眩しく感じ、鏡体を使用しにくいという欠点を有している。
【課題を解決するための手段】
【０００５】
本発明が提案するミラーキャビネット用照明装置の特徴とするところは、請求項１に記載するとおり、鏡体が取り付けられるキャビネット本体部に設けた収納凹部に、小口面を前後方向として進退可能に収納した発光板と、当該発光板内へ小口面から光を投射する光源とより成る照明装置であって、前記発光板における一方の表面側に光反射層が設けられると共に、他方の表面側が光透過層から成る発光面になされ、前記光源から前記発光板内に投射した光線を前記光反射層で反射して前記発光面から射出させるようになされ、前記発光板が収納される収納凹部の内表面に光反射層を設けたことである。ここで小口面とは、平板状の部材にあっては、その最も面積の広い２面を除いた端面を指している。
【０００６】
本発明に係る照明装置の基本的構成は前述のとおりであるが、光源を発光板と一体に構成する場合が考えられる。すなわち請求項２に記載する如く、前記光源を前記発光板の小口面に取着する。あるいは請求項３に記載する如く、前記発光板の内部に中空部が形成されると共に小口面に前記中空部に通じる開口部が形成される場合、光源を前記開口部に取着して、発光板内部へ光投射するようになすことも可能である。なお、光源を取着する小口面の位置は、原理的には、発光板のいずれの小口面でも可能である。
【０００７】
また、光源と発光板とを別体に構成することも考えられ、請求項４に記載する如く、前記光源を、前記発光板における後端側の小口面に面するようにキャビネット本体部に配置する構成としてもよい。すなわち、この例では、光源はキャビネット側に固定される。
【０００８】
さらに請求項５に記載する如く、鏡体が取り付けられるキャビネット本体部に設けた収納凹部に、小口面を前後方向として進退可能に収納された発光板と、当該発光板内部に形成された中空部内に配置された光源とより成る照明装置とし、前記発光板における一方の表面側に光反射層を設けると共に、他方の表面側を光透過層から成る発光面になし、前記光源から前記発光板内に投射した光線を前記光反射層で反射して前記発光面から射出させるようになし、前記発光板が収納される収納凹部の内表面に光反射層を設ける構成とすることも考えられる。本例の場合、光源を発光板に固定することが考えられるが、請求項６に記載の如く、光源を、発光板の外部に取り付けた支持手段により、キャビネット本体部に固定することも可能である。
【発明の効果】
【００１０】
本発明に係る照明装置の発光板を収納する収納凹部を、ミラーキャビネットにおける鏡体の端縁付近に設けた場合を想定する。このとき、発光板の発光面が鏡体側に面し、光反射層が鏡体外方に面するように設定する。光源により発光板内へ小口面から光線を投射すると、発光板内を通過する光線は光反射層で反射され、光透過層を通過して発光面から射出される。つまり小口面への投射光によって鏡体に面した発光面を全面的に発光させ、鏡体外方への光の放出は生じない。従って、発光板を収納凹部から引き出し、光源を点灯させて発光面を発光させることにより、鏡体表面から一定距離の空間を光照射するので、鏡体に接近させた使用者の顔を効率よく照らすことが可能である。このとき、光の照射方向は顔の側方からとなるので、使用者に対しあまり眩しさを感じさせることがない。発光板の不使用時は、収納凹部内へ収めることにより突出部を無くせるから、見栄えが良く、ミラーキャビネットの使い勝手を損なうこともない。
【００１１】
前記発光板は、小口面に光線を投射すれば発光面を発光させることができるから、光源は、請求項２，３に記載の如く、発光板の小口面に一体に取着する構成でも、請求項４に記載の如く後端側の小口面に面するようキャビネット本体部に配置する構成のいずれでも採用可能である。なお、前者の小口面に取着する光源は、収納凹部内における発光板の進退を阻害しないようにするため、発光板の厚み方向の寸法が、発光板の厚み寸法を越えないものであることが望ましく、そのためには例えばＬＥＤ（発光ダイオード）等の小型の光源が使用される。後者のキャビネット本体部に光源を配置する場合は、光源の寸法等に対する制限は緩やかになるから、ＬＥＤ以外の蛍光灯なども光源として使用可能である。
【００１２】
請求項５，６に記載の照明装置は、発光板内部に形成された中空部内に光源を配置し、発光板の内部へ直接、光投射する点が異なるが、請求項１に記載したものと同等の機能を発揮することが出来る。
【００１３】
なお、収納凹部の内表面に光反射層を設けることにより、光の損失を減少させることができる。特に請求項４に記載するように、発光板後端側の小口面に面するよう光源をキャビネット本体部に配置した場合、収納凹部から発光板を引き出した状態では光源と発光板との間に空間が形成されるので、収納凹部の内表面に設けた光反射層により、光源から発光板に向けて投射した光が、途中の収納凹部で吸収されて減衰するのを防止すれば、発光能率の低下を抑制する効果が大きい。また、請求項２，３に記載するように発光板の小口面に光源を取着した場合や、請求項５，６に記載するように発光板内部に光源を設けた場合でも、収納凹部の内表面に光反射層を設けておけば、発光板を収納したままの状態や、途中まで引き出した状態（発光板の一部が収納凹部内に留まっている状態）で発光させたときにでも、収納凹部で光が吸収されて光量が低減するのを抑制できる。
【発明を実施するための最良の形態】
【００１４】
［第１の実施形態］
図１は、本発明に係る照明装置１０を設けたミラーキャビネットＭを備える洗面化粧台Ｋの斜視図、図２は、同洗面化粧台Ｋの平面断面図である。本例のミラーキャビネットＭは、中央の主鏡体部１と左右の副鏡体部２，２とを隣接させた三面鏡構造を、キャビネット本体部３の正面部に取り付けて構成したものである。このミラーキャビネットＭは、水栓器具４が設置された洗面器５を上部に載設したフロアキャビネット６と組み合わされることによって、洗面化粧台Ｋを構築している。なお必要に応じ、ミラーキャビネットＭの上方部に蛍光灯等から成る従来の照明器具７を設置することも妨げない。また主・副鏡体部１，２はヒンジ等で開閉可能に支持され、図２に示す如く、キャビネット本体部３における各鏡体部１，２の裏面側は、歯ブラシ８・化粧品その他各種物品を収納するための収納空間３ａ，３ｂに成されている。従って主鏡体部１及び副鏡体部２はそれぞれ、当該収納空間３ａ，３ｂの開閉扉を兼ねている。
【００１５】
キャビネット本体部３における主鏡体部１の左右両端部つまり副鏡体部２，２との境界位置には、照明装置１０の発光板１１を進退可能に収納する収納凹部２０が形成される。具体的には、図２に示す如く、主鏡体部１裏面側の収納空間３ａと副鏡体部２裏面側の収納空間３ｂとを区画する隔壁９を利用して、上記収納凹部２０を形成してある。
【００１６】
本例の照明装置１０は、請求項２に対応するものであって、図３に示すように、厚みの薄い発光板１１と、その後端側小口面１１ａに取着した光源１２とから成り、発光板１１の上下端面それぞれに設けたスライダ１４，１４を、収納凹部２０における天井部２０ａ及び底面部２０ｂそれぞれに配設したガイドレール１３，１３で摺動可能に支持することにより、発光板１１及び光源１２を一体に前後方向に進退可能としている。
【００１７】
図４に示すように、発光板１１は、光透過層Ｔから構成され、その一方の表面側に光反射層Ｒが設けられ、他方の表面側は発光面Ｓとなされる。光透過層Ｔは、強化ガラスやアクリル樹脂等の透明で屈折率が高く比較的硬質な材質で製作される。また、光散乱性物質を配合して、光の拡散を促進することも考えられる。光反射層Ｒは、例えば銀鏡膜で被覆したり白色塗料を塗装することによって形成される。なお、前端側小口面１１ｃの光反射層Ｒは、設けることも省略することも可能である。また、発光面Ｓ側の一部表面を光反射層Ｒで覆って、発光面Ｓの大きさや発光位置を制限することも妨げない。
【００１８】
光源１２には、発光ダイオード（ＬＥＤ）・直管型蛍光灯・角形スリム蛍光灯・冷陰極管などが考えられる。本例の如く、発光板１１と一体的に取着する場合は、幅寸法が発光板１１の厚み寸法を超えないことが望ましいので、小型で取り扱いの容易なＬＥＤを用いるのがよい。但し、状況により、十分な厚みを有する発光板１１を使用可能なときには、蛍光灯など他の種類の光源１も使用可能である。発光板１１の取り付けは、上記発光面Ｓが主鏡体部１を臨むように設定される。従って、本例のように、主鏡体部１の左右両端部を挟むように発光板１１を配置する場合、各発光板１１の発光面Ｓが互いに向き合うように設定される（図１，２参照）。
【００１９】
光源１２を点灯させると、図４に示す如く、小口面１１ａから発光板１１の内部へ投射された光は、光反射層Ｒによって反射される結果、発光面Ｓから外部へ放出される。つまり発光面Ｓが全面的に発光する。従って図２に示すように、発光板１１を収納凹部２０から引き出し、主鏡体部１よりも前方へ突出させた状態で光源１２を点灯させれば、発光面Ｓの発光によって主鏡体部１から一定範囲の前方空間を光照射することができるので、主鏡体部１に近づけた使用者Ｈの顔を適切に照明することが可能である。
【００２０】
このように本発明によれば、指向性の強いＬＥＤを光源１２に採用しても、発光板１１を介することにより、広範囲の照明が可能となる。しかも使用者Ｈに対する照明方向が顔の側方からとなるので、使用者Ｈに眩しさをあまり感じさせることがない。薄い板状の発光板１１を発光体とするものであり、しかも不使用時には収納凹部２０内へ収納することができるから、きわめて美観性に優れると共に、ミラーキャビネットＭの使い勝手を損なうこともない。光源１２としてＬＥＤを使用可能であることにより、消費電力が少なく発熱の小さい照明装置を提供できる。
【００２１】
ところで発光板１１は、図４の如き中実の光透過層Ｔで構成するもののほか、図５に示すように、内側に中空部Ｑを有する構造も採用できる。この場合、発光板１１内の中空部Ｑに通じる開口部を小口面１１ａに形成し、光源１２を中空部Ｑに臨むよう開口部に取着して、発光板１１内部へ直接光投射するようになす。また、光反射層Ｒが設けられる層部分ｔ１と、発光面Ｓとなる層部分ｔ２とを別体に製作し、両者を貼り合わせて構成することも可能である。なお本例の場合、光反射層Ｒを、図５（Ａ）に示すように、発光板１１の外表面に形成する態様のほか、同図（Ｂ）のように、中空部Ｑに臨むよう内表面に形成する態様も考えられる。
【００２２】
図６に例示するように、光源１２は、発光板１１におけるいずれの小口面（表裏面を除く４つの端面）に取着してもよい。光源１２を、図６（Ａ）の如く、発光板１１の上端側小口面１１ｂに取着した場合でも、同図（Ｂ）の如く、前端側小口面１１ｃに取着した場合でも、原理的に見て、発光板１１内に投射された光によって発光面Ｓを全面的に発光させることができるのは明らかである。依って、光源１２が取着される小口面の位置にかかわらず、本例の照明装置１０は同等の照明効果を発揮する。
【００２３】
［第２の実施形態］
図７は、本発明の請求項４に対応する照明装置１０の実施形態を示すものである。本例では、光源１２を、発光板１１の後端側小口面１１ａと面するようにキャビネット本体部３に設置した。すなわち、前後方向に進退する発光板１１に対し、光源１２が所定位置に固定されている点で、前記第１の実施形態と異なっている。光源１２は、発光板１１とは別体に構成されるので、寸法に対する制限が緩やかになる。従って、ＬＥＤより大型の蛍光灯などを光源２として用いることが可能である。
【００２４】
なお本実施形態では、図７（Ｂ）に示す如く、発光板１１を前進させて鏡体部１，２より前方へ突出させたときに、発光板１１の後端部と光源１２との間に空間が形成される。そこで、収納凹部２０の内表面に銀鏡膜等から成る光反射層１６を設け、光が発光板１１に到達するまでに収納凹部２０で吸収されるのを抑制するようにして、光量の低下を防止した。
【００２５】
［第３の実施形態］
図８乃至図１０は、本発明の請求項５，６に対応する実施形態を例示するものである。本例のように、発光板１１内に中空部Ｑが形成され、この中空部Ｑ内に光源１２を配置する場合、光源１２は、発光板１１に固定することも考えられるが、キャビネット本体部３に設けた外部支持手段１７により、発光板１１の中空部Ｑにおける所定位置に固定することも可能である。上記の外部支持手段１７は、例えば図９に示すように光源１２を後方から支持する構造、あるいは、図１０に示すように光源１２を下方から支持する構造等が考えられる。前者（図９）の場合、発光板１１は後端面側を開口させ、後者（図１０）の場合、発光板１１の下面側を開口させる。光源１２としてはＬＥＤが望ましい。本実施形態にあっては、発光板１１内において光源１２から光が投射されるので、光の損失がきわめて少ない。
【００２６】
［第４の実施形態］
図１１は、発光板１１を収納凹部２０に対し進退可能にするための異なる構造を示すものである。同図に示すように、発光板１１を扇型に形成し、その中心部付近をヒンジ、ピン等から成る回動軸１８でキャビネット本体部３に枢支する。他方、扇型の円弧に当たる上表面の後端部付近に係止部１９を設けておく。かかる構成の照明装置１０は、扇型の発光板１１を回動軸１８を中心にして、係止部１９がキャビネット本体部３と当接するまで回動させることにより、鏡体部よりも前方へ突出させることができる。
【００２７】
［その他の実施形態］
図１２に示すように、鏡体部１の幅寸法が非常に大きい場合、当該鏡体部１の途中に、発光板１１を収納する収納凹部２０を設ける構成も可能である。
また、図示は省略するが、発光板１１における発光面Ｓの一部又は全体を粗面に形成して、放出光を散乱させるようにしてもよい。
さらに、第１、第３の実施形態においても、収納凹部２０の内面に光反射層を形成してもよい。これにより、発光板１１を収納凹部２０に収納した状態又は一部分のみ引き出した状態で光源１２を点灯させる使用態様において、光が収納凹部２０内で吸収され、光量が低下するのを抑制できる。
なお本発明に係る照明装置は、洗面化粧台に設置されるミラーキャビネットのほか、単独で設置されるミラーキャビネットにも適用が可能である。
【図面の簡単な説明】
【００２８】
【図１】本発明の第１の実施形態に関するものであって、本発明に係る照明装置を設けたミラーキャビネットを備える洗面化粧台の斜視図である。
【図２】本発明の第１の実施形態に係るものであって、図（Ａ）は図１に示すミラーキャビネットの初期状態を示す平面断面図、図（Ｂ）は使用状態を示す平面断面図である。
【図３】本発明の第１の実施形態に係るものであって、収納凹部を断面して示す照明装置の側面図である。
【図４】本発明の第１の実施形態に係るものであって、請求項２に対応する照明装置を示す平面図である。
【図５】本発明の第１の実施形態に係るものであって、図（Ａ）は請求項３に対応する照明装置を示す平面断面図、図（Ｂ）は異なる例を示す要部の平面断面図である。
【図６】図（Ａ）（Ｂ）は共に本発明の第１の実施形態に係る照明装置のさらに異なる例を示す斜視図である。
【図７】本発明の第２の実施形態に係るものであって、図（Ａ）は初期状態にある照明装置を示す平面断面図、図（Ｂ）は使用状態にある照明装置の平面断面図である。
【図８】本発明の第３の実施形態に係るものであって、図（Ａ）は初期状態にある照明装置を示す平面断面図、図（Ｂ）は使用状態にある照明装置の平面断面図である。
【図９】本発明の第３の実施形態に係る照明装置の側面断面図である。
【図１０】本発明の第３の実施形態に係る照明装置の異なる態様を示す側面断面図である。
【図１１】本発明の第４の実施形態に係る照明装置を示す収納凹部を断面した側面図である。
【図１２】本発明に係る照明装置のさらに異なる例を示す斜視図である。
【符号の説明】
【００２９】
Ｋ…洗面化粧台  Ｍ…ミラーキャビネット  Ｈ…使用者  １…主鏡体部  ２…副鏡体部  ３…キャビネット本体部  １０…照明装置  １１…発光板  １１ａ…小口面（後端側）  １２…光源  ２０…収納凹部
【図１】
0004415327.tif 000002
【図２】
0004415327.tif 000003
【図３】
0004415327.tif 000004
【図４】
0004415327.tif 000005
【図５】
0004415327.tif 000006
【図６】
0004415327.tif 000007
【図７】
0004415327.tif 000008
【図８】
0004415327.tif 000009
【図９】
0004415327.tif 000010
【図１０】
0004415327.tif 000011
【図１１】
0004415327.tif 000012
【図１２】
0004415327.tif 000013